(57)【要約】【課題】昇降家具への装着性が良く作業性が向上し、しかも、板バネ等の特別な部材を別途設けることなく、上昇動作時には昇降スイッチを保持でき下降動作時には手を離せば停止位置に自動復帰できると共に、広い操作角度範囲に対応することが可能となる昇降家具の操作スイッチ装置を得る。【解決手段】操作スイッチ装置４０は、３ポジションを有するトグルスイッチ４４を備えており、操作レバー４６に固定された内側ブラケット５０によって切り替えられる。捩りコイルスプリング５４は、下降動作時には手を離せばトグルスイッチ４４を「上切替位置」から「停止位置」に自動復帰でき上昇動作時には「下切替位置」に保持するように、操作レバー４６の自重に抗して常に内側ブラケット５０を付勢している。このため、特別な板バネ等の部材を昇降家具の裏面側等に別途設ける必要が無くなり、特別な位置合わせが不要であり、取付け作業性も向上する。【選択図】        図２
2004171959.tif 000002
【特許請求の範囲】
【請求項１】
上切替位置、下切替位置、及び、前記上切替位置と下切替位置との間に位置する停止位置の３ポジションを有するトグルスイッチを備え、前記トグルスイッチの操作によって駆動する駆動モータによって上昇移動、降下移動、及び停止する昇降家具に適用される操作スイッチ装置であって、
前記昇降家具に固定されると共に前記トグルスイッチが取り付けられるブラケットと、
前記ブラケットに回転可能に支持され、前記トグルスイッチに係合して前記トグルスイッチを前記３ポジションの何れかに操作可能な操作レバーと、
前記操作レバーの自重に対応した付勢力を有し、前記ブラケットと前記操作レバーとに係止され、前記操作レバーの自重に抗して前記トグルスイッチを前記操作レバーの上昇操作側においては保持し下降操作側においては前記停止位置に戻るように前記操作レバーを付勢する付勢部材と、
を備えたことを特徴とする昇降家具の操作スイッチ装置。
【請求項２】
前記トグルスイッチの前記３ポジションに応じた前記操作レバーの操作位置に対応して設けられ、前記操作レバーの操作に節度感を生じさせる節度機構を備えた、
ことを特徴とする請求項１記載の昇降家具の操作スイッチ装置。
【請求項３】
前記節度機構は、前記ブラケットに形成された凹部と、前記付勢部材に形成され前記凹部に嵌入離脱可能な凸部と、によって構成される、
ことを特徴とする請求項２記載の昇降家具の操作スイッチ装置。
【請求項４】
前記操作レバーに連結して設けられ、前記トグルスイッチを前記停止位置に切り替える際の前記操作レバーの復帰移動を緩衝するダンパを備えた、
ことを特徴とする請求項１乃至請求項３の何れか１項に記載の昇降家具の操作スイッチ装置。
【発明の詳細な説明】
【０００１】
【発明の属する技術分野】
本発明は、トグルスイッチの操作によって駆動する駆動モータによって上昇移動、降下移動、及び停止する昇降家具に適用される操作スイッチ装置に関する。
【０００２】
【従来の技術】
従来より、物を収納する収納棚部分をワイヤケーブルを使って吊り下げておき、当該ワイヤケーブルを駆動装置を使って巻き取りあるいは巻き戻すことにより、このような収納棚（戸棚）部分を昇降させる構成の昇降家具（所謂、吊り戸棚）が知られている。
【０００３】
この種の昇降家具では、戸棚（天板）の四隅に予め４本のワイヤケーブルの各一端部が固定されている。また、家屋室内の天井部分には定滑車が固定されており、当該定滑車を介してワイヤケーブルの他端部が駆動モータに結合された巻取軸に巻き付けられている。この昇降家具によれば、駆動モータが駆動すると、巻取軸が回転し、これによりワイヤケーブルが巻き取りまたは巻き戻され、昇降家具の収納棚が昇降される。
【０００４】
ところで、このような昇降家具においては、収納棚の下面側に昇降スイッチを設け、この昇降スイッチの操作によって駆動モータを駆動及び停止させる技術がある（特許文献１参照）。
【０００５】
前記特許文献１に示される如き収納棚の下面側に設けられた昇降スイッチとしては、一般的なトグルスイッチが適用されている。
【０００６】
ところで、このような昇降家具における収納棚の昇降操作性を考慮すると、収納棚の前面側の幅方向全域に亘って前記昇降スイッチを操作（切替）可能な操作バーが設けられていることが好ましい。このような操作バーを設けることで、前記昇降スイッチが人の手の届き難い収納棚の局所（例えば、下面側の幅方向端部の１箇所）に配置されていても、収納棚の昇降操作をし辛くなることがなくなり、大いに操作性が向上する。
【０００７】
しかしながら、前述の如き収納棚の前面側の幅方向全域に亘って設けられた操作バーは、それ自身が比較的重く、そのため、前記昇降スイッチの配置位置等の関係によっては、上昇動作時、前記昇降スイッチを上昇側に保持できず、下降動作時、手を離しても中立位置（停止位置）に戻らない場合が生じる。このため、従来では、前記操作バーを付勢しその自重に抗して中立位置（停止位置）に戻すための特別な板バネ等の部材を収納棚の裏面側に別途設けて対応していた。したがって、この板バネを昇降スイッチと共に収納棚に取り付ける際の位置合わせが不可欠であり、組付け作業性が悪いという問題があった。また、このような板バネは、操作バーの広範囲な操作角度範囲（操作移動範囲）に対応し難く、例えば操作バーの操作角度が大きい場合には所定の付勢力を付与できない場合も生じる。
【０００８】
【特許文献１】
特開２００１−１６１４６７公報
【０００９】
【発明が解決しようとする課題】
本発明は上記事実を考慮し、昇降家具（収納棚）への装着性（組付性）が良く作業性が向上し、しかも、板バネ等の特別な部材を別途設けることなく、上昇動作時に昇降スイッチを上昇側に保持できず下降動作時に手を離しても中立位置（停止位置）に戻らない場合を阻止すると共に、広い操作角度範囲に対応することが可能となる昇降家具の操作スイッチ装置を得ることが目的である。
【００１０】
【課題を解決するための手段】
請求項１に係る発明の昇降家具の操作スイッチ装置は、上切替位置、下切替位置、及び、前記上切替位置と下切替位置との間に位置する停止位置の３ポジションを有するトグルスイッチを備え、前記トグルスイッチの操作によって駆動する駆動モータによって上昇移動、降下移動、及び停止する昇降家具に適用される操作スイッチ装置であって、前記昇降家具に固定されると共に前記トグルスイッチが取り付けられるブラケットと、前記ブラケットに回転可能に支持され、前記トグルスイッチに係合して前記トグルスイッチを前記３ポジションの何れかに操作可能な操作レバーと、前記操作レバーの自重に対応した付勢力を有し、前記ブラケットと前記操作レバーとに係止され、前記操作レバーの自重に抗して前記トグルスイッチを前記操作レバーの上昇操作側においては保持し下降操作側においては前記停止位置に戻るように前記操作レバーを付勢する付勢部材と、を備えたことを特徴としている。
【００１１】
請求項１記載の昇降家具の操作スイッチ装置では、操作レバーが操作されることによってトグルスイッチが３ポジションの何れかに切り替えられ、これにより、駆動モータが駆動して昇降家具が上昇移動または降下移動あるいは停止される。
【００１２】
ここで、この操作スイッチ装置では、操作レバーが操作されることによって、トグルスイッチが上切替位置、下切替位置、及び停止位置の何れかに切り替えられる。この場合、操作レバーとブラケットとの間には付勢部材が設けられており、操作レバーが通常はトグルスイッチを上昇操作側においては保持し下降操作側においては停止位置に戻るように操作レバーの自重に抗して操作レバーを付勢している。このため、昇降家具の昇降操作性を考慮して例えば家具の前面側の幅方向に亘って操作バーを設けた構成とした場合であっても、通常状態（自然状態）において操作レバーすなわちトグルスイッチを上昇操作側は保持し下降操作側は停止位置に戻るようにでき、特別な板バネ等の部材を収納棚の裏面側に別途設ける必要が無くなる。またこのため、特別な板バネ等の部材を取り付ける際の位置合わせが不要であり、当該操作スイッチ装置を昇降家具に取り付ける際の作業性が大幅に向上する。さらに、付勢部材として例えば捻りコイルスプリングを適用して構成すれば、操作レバーの広い操作角度範囲（操作移動範囲）に容易に対応することができ、操作レバーの操作角度範囲が大きい場合であっても確実に所定の付勢力を付与することができる。
【００１３】
このように、請求項１記載の昇降家具の操作スイッチ装置は、昇降家具（収納棚）への装着性（組付性）が良く作業性が向上し、しかも、板バネ等の特別な部材を別途設けることなく、操作レバーの上昇操作時には保持でき下降操作時には手を離すと中立位置（停止位置）に戻ることができると共に、広い操作角度範囲に対応することが可能となる。
【００１４】
請求項２に係る発明の昇降家具の操作スイッチ装置は、請求項１記載の昇降家具の操作スイッチ装置において、前記トグルスイッチの前記３ポジションに応じた前記操作レバーの操作位置に対応して設けられ、前記操作レバーの操作に節度感を生じさせる節度機構を備えた、ことを特徴としている。
【００１５】
請求項２記載の昇降家具の操作スイッチ装置では、操作レバーの操作を操作することでトグルスイッチを３ポジションの何れかに切り替える際には、節度機構によって操作レバーの操作に節度感（所謂、クリック感）が生じる。したがって、操作者は確実な操作感を得ることができ、操作者の安心感（信頼感）が向上する。
【００１６】
請求項３に係る発明の昇降家具の操作スイッチ装置は、請求項２記載の昇降家具の操作スイッチ装置において、前記節度機構は、前記ブラケットに形成された凹部と、前記付勢部材に形成され前記凹部に嵌入離脱可能な凸部と、によって構成される、ことを特徴としている。
【００１７】
請求項３記載の昇降家具の操作スイッチ装置では、付勢部材に形成された凸部がブラケットに形成された凹部内に嵌入離脱することで操作レバーの操作に節度感（所謂、クリック感）が生じる。この場合、単に凸部及び凹部を設けるという簡単な構造で実現できる。
【００１８】
請求項４に係る発明の昇降家具の操作スイッチ装置は、請求項１乃至請求項３の何れか１項に記載の昇降家具の操作スイッチ装置において、前記操作レバーに連結して設けられ、前記トグルスイッチを前記停止位置に切り替える際の前記操作レバーの復帰移動を緩衝するダンパを備えた、ことを特徴としている。
【００１９】
請求項４記載の昇降家具の操作スイッチ装置では、トグルスイッチを停止位置に切り替える際の操作レバーの復帰移動が、ダンパの作用によって緩衝される。したがって、例えば、操作レバーを下方へ操作して昇降家具を降下移動させた後に、操作レバーを中立位置へ復帰操作して昇降家具を停止させる場合に、この操作レバーの復帰移動が緩やかになり、中立位置へ復帰したときの衝撃を緩和することができる。
【００２０】
【発明の実施の形態】
図３には本発明の第１の実施の形態に係る操作スイッチ装置４０が適用された昇降家具１０の全体構成が斜視図にて示されている。
【００２１】
昇降家具１０は、外枠部１２を備えている。この外枠部１２は、前面側の下側部位に前面開放口１４を有すると共に下端側に下端開放口１６を有する箱状に形成されており、家屋室内の上部位置に固定されている。外枠部１２の前面開放口１４には、扉部１８が設けられている。扉部１８は、外枠部１２の前面開放口１４を開閉可能に取り付けられており、しかも、通常は自重により前面開放口１４を閉鎖状態としている。
【００２２】
また、外枠部１２の内部には、移動収納部２０が収容配置されている。移動収納部２０は、外枠部１２の前面開放口１４と同方向に開放する箱状に形成されており、その内部は上下に２段に仕切られている。さらに、この移動収納部２０は、外枠部１２内で移動可能となっている。すなわち、移動収納部２０は、外枠部１２の内壁に対向して配置された一対のガイドレール２２にブラケット２４を介して支持されており（図３においては、一方のガイドレール２２及びブラケット２４のみを示してある）、このガイドレール２２に沿って上昇移動及び降下移動可能に設けられている。これにより、移動収納部２０は、その全体が外枠部１２内に収容された状態と外枠部１２の下端開放口１６から下方へ突出する状態との間で上昇移動及び降下移動できる。
【００２３】
移動収納部２０をガイドレール２２に対して移動可能に支持するブラケット２４には、巻取ワイヤ２６の一端が連結されており、さらに、巻取ワイヤ２６の他端は外枠部１２の上部に設けられた巻取ドラム２８に巻き付けられている。巻取ドラム２８には駆動モータ３０が接続されており、この駆動モータ３０が駆動することで巻取ワイヤ２６が巻取ドラム２８に巻き取りあるいは巻き戻される構成となっている。この巻取ワイヤ２６の巻き取りあるいは巻き戻しによって、ブラケット２４すなわち移動収納部２０がガイドレール２２に沿って上昇移動及び降下移動する構成である。
【００２４】
なお、前述した巻取ワイヤ２６による移動収納部２０の昇降機構については、既に本出願人が特願平１１−２９６６６１号等に詳細に提案している。
【００２５】
またさらに、前記ブラケット２４には、開閉ワイヤ３２が接続されている。この開閉ワイヤ３２は、一端がブラケット２４に係止されると共に他端が外枠部１２の下端部に設けられた固定ブラケット３４に係止されており、しかもその中間部は扉部１８に固定されたブラケット３６の先端ピン３８に巻き掛けられている。これにより、ブラケット２４すなわち移動収納部２０が降下移動する際には、開閉ワイヤ３２が次第に緊張して先端ピン３８を押し下げ、移動収納部２０の降下移動に連動して扉部１８を開放させることができる構成である。すなわち、開閉ワイヤ３２は、移動収納部２０が降下移動する際の移動力をこの移動収納部２０の降下移動に伴って扉部１８に伝達し、扉部１８を移動収納部２０の降下移動に連動して開放させることができる構成である。
【００２６】
またここで、移動収納部２０の最上端部が外枠部１２の前面開放口１４上端に至るまで降下移動し（換言すれば、移動収納部２０の上段棚が前面開放口１４に達し）この時点で扉部１８が全開放するように、開閉ワイヤ３２の長さやブラケット３６の先端ピン３８の位置等が設定されている。
【００２７】
さらに、開閉ワイヤ３２は、ブラケット３６の先端ピン３８に対し、扉部１８の側の（先端ピン３８の移動軌跡と反対側の）側面に巻き掛けられている。これにより、開閉ワイヤ３２は、移動収納部２０が上昇位置にあり扉部１８が前面開放口１４を閉鎖する状態においては扉部１８の開閉を妨げないように（扉部１８の開閉が自由に行なえるように）構成されている。
【００２８】
またさらに、移動収納部２０の底面には、前記駆動モータ３０を作動及び停止させるための一対の操作スイッチ装置４０が設けられている。これらの操作スイッチ装置４０は、移動収納部２０の底面の方向両端部にそれぞれ設けられており、共に基本的に同じ構成とされている。
【００２９】
ここで、図１には、この操作スイッチ装置４０の構成が平面図にて示されており、図２には操作スイッチ装置４０の構成が側方から視た断面図にて示されている。
【００３０】
操作スイッチ装置４０は、ブラケット４２を備えており、このブラケット４２が移動収納部２０の底面（裏面）に固定されている。また、ブラケット４２の後端部（図１及び図２において右側端部）には、トグルスイッチ４４が取り付けられている。このトグルスイッチ４４は、トグル部４４Ａが「上切替位置」、「下切替位置」、及び、「上切替位置」と「下切替位置」との間に位置する「停止位置」の３ポジションを有している。また、「上切替位置」から「停止位置」へは自動復帰（所謂、はね返り）し、しかも「下切替位置」ではロック状態となるように構成されている。さらに、このトグルスイッチ４４は、前記駆動モータ３０に接続されており、「上切替位置」では、移動収納部２０が降下移動するように駆動モータ３０を駆動させ、一方、「下切替位置」では、移動収納部２０が上昇移動するように駆動モータ３０を駆動させることができる構成である。
【００３１】
また、ブラケット４２の前端部には、操作レバー４６のＬ字状屈曲部分４８が回転可能に支持されている。この操作レバー４６の先端部は、ブラケット４２から移動収納部２０の前方側へ延出されている。
【００３２】
操作レバー４６のＬ字状屈曲部分４８には、内側ブラケット５０が一体に固定されており、操作レバー４６と常に一体に回転する。この内側ブラケット５０の先端部には、係合凹部５２が形成されており、トグルスイッチ４４のトグル部４４Ａが嵌合している。このため、内側ブラケット５０が回転することで、すなわち、操作レバー４６が回転操作されることで、トグルスイッチ４４（トグル部４４Ａ）が前記３ポジションの何れかに切り替えられる構成である。
【００３３】
またさらに、操作レバー４６のＬ字状屈曲部分４８には、付勢部材としての捩りコイルスプリング５４が巻装されている。この捩りコイルスプリング５４は、操作レバー４６の自重に対応した付勢力を有しており、一端部がブラケット４２に係止され他端が内側ブラケット５０に係止されている。これにより、捩りコイルスプリング５４は、内側ブラケット５０がトグルスイッチ４４を、上昇側（前記「下切替位置」）では保持し、下降側（前記「上切替位置」）では中立位置（前記「停止位置」）へ戻るように、操作レバー４６の自重に抗して常に内側ブラケット５０を付勢している。
【００３４】
以上の構成の左右一対の操作スイッチ装置４０は、互いの操作レバー４６が操作バー５６によって連結されている。すなわち、操作バー５６は、移動収納部２０の前面側の幅方向全域に亘って位置しており、この操作バー５６を操作することで、左右一対の操作スイッチ装置４０のそれぞれの操作レバー４６が共に同時に回転される構成となっている。
【００３５】
次に、本第１の実施の形態の作用を説明する。
【００３６】
上記構成の操作スイッチ装置４０が適用された昇降家具１０では、家屋室内の上部位置に固定された外枠部１２に移動収納部２０が上昇移動及び降下移動可能に設けられている。操作バー５６を操作することで、左右一対の操作スイッチ装置４０のそれぞれの操作レバー４６が共に回転されると、操作レバー４６のＬ字状屈曲部分４８に一体に固定された内側ブラケット５０がトグルスイッチ４４（トグル部４４Ａ）を前記３ポジションの何れかに切り替え、駆動モータ３０が駆動される。
【００３７】
すなわち、操作バー５６（操作レバー４６）が引き下げられると、トグルスイッチ４４のトグル部４４Ａが「上切替位置」に切り替えられ、移動収納部２０が降下移動するように駆動モータ３０が駆動され、一方、操作バー５６（操作レバー４６）が押し上げられると、トグルスイッチ４４のトグル部４４Ａが「下切替位置」に切り替えられ、移動収納部２０が上昇移動するように駆動モータ３０が駆動される。駆動モータ３０が作動すると、巻取ワイヤ２６が巻取ドラム２８に巻き取りあるいは巻き戻され、移動収納部２０がガイドレール２２に沿って上昇移動または降下移動される。
【００３８】
また、移動収納部２０が降下移動する際には、開閉ワイヤ３２が次第に緊張して先端ピン３８を押し下げ、移動収納部２０の降下移動に連動して扉部１８が開放される。すなわち、移動収納部２０の移動力は開閉ワイヤ３２によって扉部１８に伝達され、移動収納部２０の降下移動に伴って（移動収納部２０の降下移動に連動して）扉部１８が開放される。一方、移動収納部２０が上昇移動する際には、扉部１８は自重により前面開放口１４を閉鎖状態とする。
【００３９】
ここで、本第１の実施の形態に係る操作スイッチ装置４０では、操作レバー４６（内側ブラケット５０）とブラケット４２との間に捩りコイルスプリング５４が設けられており、下降動作時に操作バー５６から手を離せばトグルスイッチ４４（トグル部４４Ａ）が「上切替位置」から「停止位置」に自動復帰することができるように操作レバー４６（操作バー５６）の自重に抗して操作レバー４６（内側ブラケット５０）を付勢している。このため、昇降家具１０の昇降操作性を考慮して本第１の実施の形態の如く移動収納部２０の前面側の幅方向に亘って操作バー５６を設けた構成とした場合であっても、上昇動作時において操作レバー４６すなわちトグルスイッチ４４を「下切替位置」に保持することができ、特別な板バネ等の部材を移動収納部２０の裏面側等に別途設ける必要が無くなる。またこのため、特別な板バネ等の部材を取り付ける際の位置合わせが不要であり、当該操作スイッチ装置４０を昇降家具１０（移動収納部２０の裏面側）に取り付ける際の作業性が大幅に向上する。さらに、付勢部材として捻りコイルスプリング５４を適用して構成したため、操作レバー４６の広い操作角度範囲（操作移動範囲）に容易に対応することができ、操作レバー４６の操作角度範囲が大きい場合であっても確実に所定の付勢力を付与することができる。
【００４０】
このように、本第１の実施の形態に係る操作スイッチ装置４０は、昇降家具１０（移動収納部２０）への装着性（組付性）が良く作業性が向上し、しかも、板バネ等の特別な部材を別途設けることなく、下降動作時に操作バー５６から手を離せばトグルスイッチ４４（トグル部４４Ａ）を「上切替位置」から「停止位置」に自動復帰することができると共に、広い操作角度範囲に対応することが可能となる。
【００４１】
次に、本発明の他の実施の形態を説明する。なお、前述した第１の実施の形態と基本的に同一の部品には、前記第１の実施の形態と同一の符号を付与しその説明を省略する。
【００４２】
図４には、第２の実施の形態に係る操作スイッチ装置６０の構成が側面図にて示されている。
【００４３】
この操作スイッチ装置６０は、前記第１の実施の形態に係る操作スイッチ装置４０の捩りコイルスプリング５４に代えて、板バネ６２を備えている。この板バネ６２は、一端部がブラケット４２に係止され、中間部が操作レバー４６のＬ字状屈曲部分４８に巻き掛けられ、他端部が内側ブラケット５０に係止されており、操作レバー４６の自重に対応した付勢力を有している。
【００４４】
この操作スイッチ装置６０においても、板バネ６２によって操作レバー４６が付勢されており、上昇動作時において操作レバー４６すなわちトグルスイッチ４４を「下切替位置」に保持することができるため、他の特別な板バネ等の部材を移動収納部２０の裏面側等に別途設ける必要が無くなる。またこのため、特別な板バネ等の部材を取り付ける際の位置合わせが不要であり、当該操作スイッチ装置６０を昇降家具１０（移動収納部２０の裏面側）に取り付ける際の作業性が大幅に向上する。
【００４５】
このように、本第２の実施の形態に係る操作スイッチ装置６０は、昇降家具１０（移動収納部２０）への装着性（組付性）が良く作業性が向上し、しかも、板バネ等の特別な部材を別途設けることなく通常状態（自然状態）において「停止位置」に保持できると共に広い操作角度範囲に対応することが可能となる。
【００４６】
次に、図５には、第３の実施の形態に係る操作スイッチ装置７０の構成が側面図にて示されている。
【００４７】
この操作スイッチ装置７０は、前記第１の実施の形態に係る操作スイッチ装置４０と基本的に同一の構成であるが、内側ブラケット５０に係止された捩りコイルスプリング５４の一端部は更に後方へ延長されており、その先端には節度機構を構成する凸部７２が形成されている。
【００４８】
さらに、ブラケット４２に設けられた立壁７４には、捩りコイルスプリング５４の凸部７２に対応して、凹部７６が形成されており、この凹部７６内に凸部７２が嵌入離脱可能となっている。これにより、凸部７２が凹部７６に嵌入したり離脱することで、操作レバー４６の操作に節度感を生じさせることができる構成である。
【００４９】
以上の構成の操作スイッチ装置７０においても、昇降家具１０（移動収納部２０）への装着性（組付性）が良く作業性が向上し、しかも、板バネ等の特別な部材を別途設けることなく上昇動作時において操作レバー４６すなわちトグルスイッチ４４を「下切替位置」に保持することができると共に、広い操作角度範囲に対応することが可能となる。
【００５０】
またしかも、この操作スイッチ装置７０では、操作レバー４６の操作を操作することでトグルスイッチ４４を３ポジションの何れかに切り替える際には、凸部７２及び凹部７６から成る節度機構によって、操作レバー４６の操作に節度感（所謂、クリック感）が生じる。したがって、操作者は確実な操作感を得ることができ、操作者の安心感（信頼感）が向上する。またこの場合、単に凸部７２及び凹部７６を設けるという簡単な構造で実現できる。
【００５１】
次に、図６には、第４の実施の形態に係る操作スイッチ装置８０の構成が平面図にて示されている。
【００５２】
この操作スイッチ装置８０は、前記第１の実施の形態に係る操作スイッチ装置４０と基本的に同一の構成であるが、操作レバー４６のＬ字状屈曲部分４８の先端に、ダンパ８２が設けられている。このダンパ８２は、トグルスイッチ４４を「停止位置」に切り替える際の操作レバー４６の復帰移動を緩衝することができ、特に、操作バー５６（操作レバー４６）が引き下げられた後に中立位置に復帰する際の（すなわち、トグルスイッチ４４が「上切替位置」から「停止位置」へ自動復帰する際の）操作レバー４６の復帰移動を緩衝することができる。
【００５３】
この操作スイッチ装置８０では、トグルスイッチ４４を「停止位置」に切り替える際の操作レバー４６の復帰移動が、ダンパ８２の作用によって緩衝される。したがって、例えば、操作レバー４６を下方へ操作して昇降家具１０を降下移動させた後に、操作レバー４６を「中立位置」へ自動復帰して昇降家具１０を停止させる場合に、この操作レバー４６の復帰移動が緩やかになり、「中立位置」へ復帰したときの衝撃が緩和され、操作性が向上する。
【図面の簡単な説明】
【図１】本発明の第１の実施の形態に係る操作スイッチ装置の構成を示す平面図である。
【図２】本発明の第１の実施の形態に係る操作スイッチ装置の構成を示す側方から視た断面図である。
【図３】本発明の第１の実施の形態に係る操作スイッチ装置が適用された昇降家具の全体構成を示す一部破断した斜視図である。
【図４】本発明の第２の実施の形態に係る操作スイッチ装置の構成を示す側方から視た断面図である。
【図５】本発明の第３の実施の形態に係る操作スイッチ装置の構成を示す側方から視た断面図である。
【図６】本発明の第４の実施の形態に係る操作スイッチ装置の構成を示し、（Ａ）は平面図であり、（Ｂ）はダンパの正面図である。
【符号の説明】
１０・・昇降家具、２０・・移動収納部、３０・・駆動モータ、４０・・操作スイッチ装置、４２・・ブラケット、４４・・トグルスイッチ、４６・・操作レバー、５０・・内側ブラケット、５４・・捩りコイルスプリング（付勢部材）、６０・・操作スイッチ装置、６２・・板バネ（付勢部材）、７０・・操作スイッチ装置、７２・・凸部（節度機構）、７６・・凹部（節度機構）、８０・・操作スイッチ装置、８２・・ダンパ
【図１】
2004171959.tif 000003
【図２】
2004171959.tif 000004
【図３】
2004171959.tif 000005
【図４】
2004171959.tif 000006
【図５】
2004171959.tif 000007
【図６】
2004171959.tif 000008